【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
本願明細書に記載の発明。
【手続補正２】
【補正対象書類名】明細書
【補正対象項目名】０００５
【補正方法】変更
【補正の内容】
【０００５】
ある場合には、組成物は、フッ化ポリマードットを含むことができ、このフッ化ポリマードットのフッ素含量は、フッ化ポリマードットの総質量の５０％未満である。本開示はさらに、フッ化ポリマードットを含むことができる組成物であって、非フッ化ポリマードットの非特異的な吸着は、フッ化され得る類似のポリマードットのポリマードットの非特異的な吸着より高くてもよい、組成物を提供する。またある場合には、本明細書では、フッ化ポリマードットを含む組成物であって、フッ化ポリマードットが、フッ化されていない類似のポリマードットの量子収率を超える量子収率を有する、組成物が提供される。またある場合には、本開示は、フッ化ポリマードットを含む組成物であって、フッ化ポリマードットが、非球状の形状を有する、組成物を提供する。
参照による援用
本明細書に言及したあらゆる刊行物、特許文書および特許出願文書は、あたかもそれぞれ個々の刊行物、特許文書または特許出願文書が、参照によって組み込まれることが具体的に個々に示されているのと同程度に、それらの全体が参照によって本明細書に組み込まれる。
特定の実施形態では、例えば以下が提供される：
（項目１）
フッ化半導体ポリマードットを含む組成物であって、前記フッ化半導体ポリマードットの総質量の５０％未満がフッ素である、組成物。
（項目２）
前記ポリマーが、芳香族繰り返しサブユニットを含む、項目１に記載の組成物。
（項目３）
前記ポリマーが、複素環繰り返しサブユニットを含む、項目１から２のいずれか一項に記載の組成物。
（項目４）
前記ポリマーが、追加部分に共役している、項目１から３のいずれか一項に記載の組成物。
（項目５）
前記追加部分が、ポリエチレングリコールを含む、項目４に記載の組成物。
（項目６）
前記追加部分が、カルボン酸またはその塩を含む、項目４に記載の組成物。
（項目７）
前記追加部分が、ポリスチレンポリエチレングリコールである、項目４に記載の組成物。
（項目８）
前記追加部分が、ポリスチレン無水マレイン酸である、項目４に記載の組成物。
（項目９）
前記追加部分が、ポリスチレンポリエチレングリコールカルボン酸またはその塩である、項目４に記載の組成物。
（項目１０）
前記ポリマーが、ペプチドに共役している、項目１から９のいずれか一項に記載の組成物。
（項目１１）
前記ポリマーが、抗体に共役している、項目１から９のいずれか一項に記載の組成物。
（項目１２）
前記ポリマーが、ストレプトアビジン部分に共役している、項目１から９のいずれか一項に記載の組成物。
（項目１３）
前記ポリマーが、式（Ｉ）：
【化３４】
2016525595.tif 000001
の構造を有する繰り返しサブユニットを含み、式中、
Ｒ１およびＲ２のそれぞれは、独立に、Ｈ、ＦまたはＣｌであり、
【化３５】
2016525595.tif 000002
は、単結合または二重結合であり、
ＲＩＮＧは、環式基である、
項目１から１２のいずれか一項に記載の組成物。
（項目１４）
前記繰り返しサブユニットが、式（ＩＩ）：
【化３６】
2016525595.tif 000003
の構造を有し、式中、
各
【化３７】
2016525595.tif 000004
は、独立に、単結合または二重結合であり、
Ｘ、ＹおよびＺのそれぞれは、独立に、Ｎ、ＮＷ、Ｓ、Ｏ、ＣＷ、またはＣＷＷであり、
各Ｗは、独立に、Ｈ、Ｆ、Ｃｌ、ＯＨ、ＳＨ、アミノ基、ニトロ基、ニトロソ基、シアノ基、アジド基、スルホキシド基、スルホン基、スルホンアミド基、カルボキシル基、カルボキシアルデヒド基、イミン基、アルキル基、ハロ−アルキル基、アルケニル基、ハロ−アルケニル基、アルキニル基、ハロ−アルキニル基、アルコキシ基、アリール基、アリールオキシ基、アラルキル基、アリールアルコキシ基、ヘテロシクリル基、アシル基、アシルオキシ基、カーボネート基、カルバメート基、アミド基、ウレタン基、またはエステル基である、
項目１から１３のいずれか一項に記載の組成物。
（項目１５）
前記繰り返しサブユニットが、式（ＩＩＩ）
【化３８】
2016525595.tif 000005
の構造を有し、式中、
Ｒ１およびＲ２の少なくとも１つは、Ｆである、
項目１から１４のいずれか一項に記載の組成物。
（項目１６）
Ｒ１およびＲ２のそれぞれが、Ｆである、項目１３から１５のいずれか一項に記載の組成物。
（項目１７）
前記繰り返しサブユニットが、式（ＩＶ）：
【化３９】
2016525595.tif 000006
の構造を有し、式中、
Ａｒは、芳香族基である、
項目１３から１６のいずれか一項に記載の組成物。
（項目１８）
前記繰り返しサブユニットが、式（ＶＩ）：
【化４０】
2016525595.tif 000007
の構造を有し、式中、
Ｒ３、Ｒ４、Ｒ５およびＲ６のそれぞれは、独立に、Ｈ、Ｆ、Ｃｌ、ＢｒまたはＩである、
項目１３から１７のいずれか一項に記載の組成物。
（項目１９）
前記繰り返しサブユニットが、式（ＶＩＩ）：
【化４１】
2016525595.tif 000008
の構造を有し、式中、
Ｒ３、Ｒ４、Ｒ５、Ｒ６、Ｒ７、Ｒ８、Ｒ９およびＲ１０のそれぞれは、独立に、Ｈ、Ｆ、Ｃｌ、ＢｒまたはＩである、
項目１３から１８のいずれか一項に記載の組成物。
（項目２０）
前記繰り返しサブユニットが、式（ＶＩＩＩ）：
【化４２】
2016525595.tif 000009
の構造を有し、式中、
各
【化４３】
2016525595.tif 000010
は、独立に、単結合または二重結合であり、
Ｘ、ＹおよびＺのそれぞれは、独立に、Ｎ、ＮＷ、Ｓ、Ｏ、ＣＷ、またはＣＷＷであり、
各Ｗは、独立に、Ｈ、Ｆ、Ｃｌ、Ｂｒ、Ｉ、ＯＨ、ＳＨ、アミノ基、ニトロ基、ニトロソ基、シアノ基、アジド基、スルホキシド基、スルホン基、スルホンアミド基、カルボキシル基、カルボキシアルデヒド基、イミン基、アルキル基、ハロ−アルキル基、アルケニ
ル基、ハロ−アルケニル基、アルキニル基、ハロ−アルキニル基、アルコキシ基、アリール基、アリールオキシ基、アラルキル基、アリールアルコキシ基、ヘテロシクリル基、アシル基、アシルオキシ基、カーボネート基、カルバメート基、アミド基、ウレタン基、またはエステル基である、
項目１３から１９のいずれか一項に記載の組成物。
（項目２１）
前記繰り返しサブユニットが、式（ＩＸ）：
【化４４】
2016525595.tif 000011
の構造を有する、項目１７から２０のいずれか一項に記載の組成物。
（項目２２）
前記繰り返しサブユニットが、式（Ｘ）：
【化４５】
2016525595.tif 000012
の構造を有し、式中、
Ｒ１およびＲ２の少なくとも１つは、Ｆである、
項目１７から２０のいずれか一項に記載の組成物。
（項目２３）
Ｒ１およびＲ２のそれぞれが、Ｆである、項目２２に記載の組成物。
（項目２４）
前記ポリマーが、式（ＸＩ）：
【化４６】
2016525595.tif 000013
の構造の繰り返しサブユニットを含み、式中、
Ｒ１１、Ｒ１３、Ｒ１６およびＲ１８のそれぞれは、独立に、Ｈ、Ｆ、Ｃｌ、ＢｒまたはＩであり、
Ｒ１２およびＲ１５のそれぞれは、独立に、Ｈ、Ｆ、Ｃｌ、ＢｒもしくはＩであり、またはＲ１２およびＲ１５は、それらが結合する原子と一緒になって、環を形成し、
Ｒ１４およびＲ１７のそれぞれは、独立に、Ｈ、Ｆ、Ｃｌ、ＢｒもしくはＩであり、またはＲ１４およびＲ１７は、それらが結合する原子と一緒になって、環を形成する、
項目１から２３のいずれか一項に記載の組成物。
（項目２５）
前記繰り返しサブユニットが、式（ＸＩＩ）：
【化４７】
2016525595.tif 000014
の構造を有し、式中、
Ｒ１２およびＲ１５のそれぞれは、独立に、Ｈ、Ｆ、Ｃｌ、ＢｒまたはＩであり、
Ｑ１およびＱ２のそれぞれは、独立に、Ｈ、Ｆ、Ｃｌ、Ｂｒ、Ｉ、ＯＨ、ＳＨ、アミノ基、ニトロ基、ニトロソ基、シアノ基、アジド基、アルキル基、ハロ−アルキル基、アルケニル基、ハロ−アルケニル基、アルキニル基、ハロ−アルキニル基、アルコキシ基、アリール基、アリールオキシ基、アラルキル基、アリールアルコキシ基、ヘテロシクリル基、アシル基、アシルオキシ基、カーボネート基、カルバメート基、アミド基、ウレタン基、またはエステル基である、
項目２４に記載の組成物。
（項目２６）
Ｑ１およびＱ２のそれぞれが、独立に、アルキル基、アルケニル基、アルキニル基、アリール基、アラルキル基、またはヘテロシクリル基である、項目２５に記載の組成物。
（項目２７）
Ｑ１およびＱ２のそれぞれが、独立に、アルキル基である、項目２５から２６のいずれか一項に記載の組成物。
（項目２８）
前記繰り返しサブユニットが、式（ＸＩＩＩ）：
【化４８】
2016525595.tif 000015
の構造を有する、項目２４から２７のいずれか一項に記載の組成物。
（項目２９）
前記繰り返しサブユニットが、式（ＸＩＶ）：
【化４９】
2016525595.tif 000016
の構造を有し、式中、
Ａｒは、芳香族基である、
項目２４に記載の組成物。
（項目３０）
前記繰り返しサブユニットが、式（ＸＶ）：
【化５０】
2016525595.tif 000017
の構造を有し、式中、
Ｒ１９、Ｒ２０、Ｒ２１およびＲ２２のそれぞれは、独立に、Ｈ、Ｆ、Ｃｌ、ＢｒまたはＩである、
項目２４または２９のいずれか一項に記載の組成物。
（項目３１）
前記繰り返しサブユニットが、式（ＸＶＩ）：
【化５１】
2016525595.tif 000018
の構造を有し、式中、
Ｒ１２およびＲ１５のそれぞれは、独立に、Ｈ、Ｆ、Ｃｌ、ＢｒまたはＩであり、
Ｑ１およびＱ２のそれぞれは、独立に、Ｈ、Ｆ、Ｃｌ、Ｂｒ、Ｉ、ＯＨ、ＳＨ、アミノ基、ニトロ基、ニトロソ基、シアノ基、アジド基、アルキル基、ハロ−アルキル基、アルケニル基、ハロ−アルケニル基、アルキニル基、ハロ−アルキニル基、アルコキシ基、アリール基、アリールオキシ基、アラルキル基、アリールアルコキシ基、ヘテロシクリル基、アシル基、アシルオキシ基、カーボネート基、カルバメート基、アミド基、ウレタン基、またはエステル基である、
項目２４、２９または３０のいずれか一項に記載の組成物。
（項目３２）
Ｑ１およびＱ２のそれぞれが、独立に、アルキル基、アルケニル基、アルキニル基、アリール基、アラルキル基、またはヘテロシクリル基である、項目３１に記載の組成物。
（項目３３）
Ｑ１およびＱ２のそれぞれが、独立に、アルキル基である、項目３１に記載の組成物。
（項目３４）
前記繰り返しサブユニットが、式（ＸＶＩＩ）：
【化５２】
2016525595.tif 000019
の構造を有し、式中、
Ｒ１９、Ｒ２０、Ｒ２１およびＲ２２の少なくとも１つは、Ｆである、
項目３０から３３のいずれか一項に記載の組成物。
（項目３５）
Ｒ１９がＨであり、Ｒ２０がＦであり、Ｒ２１がＦであり、Ｒ２２がＨである、項目３０から３４のいずれか一項に記載の組成物。
（項目３６）
前記ポリマーが、式（ＸＶＩＩＩ）：
【化５３】
2016525595.tif 000020
の構造を有する繰り返しサブユニットを含み、式中、
Ｒ１、Ｒ２、Ｒ３、Ｒ４、Ｒ５、Ｒ６、Ｒ７、Ｒ８、Ｒ９、Ｒ１０、Ｒ１１、Ｒ１３、Ｒ１６およびＲ１８のそれぞれは、独立に、Ｈ、Ｆ、Ｃｌ、ＢｒまたはＩであり、
Ｒ１２およびＲ１５のそれぞれは、独立に、Ｈ、Ｆ、Ｃｌ、ＢｒもしくはＩであり、またはＲ１２およびＲ１５は、それらが結合する原子と一緒になって、環を形成し、
Ｒ１４およびＲ１７のそれぞれは、独立に、Ｈ、Ｆ、Ｃｌ、ＢｒもしくはＩであり、またはＲ１４およびＲ１７は、それらが結合する原子と一緒になって、環を形成し、
【化５４】
2016525595.tif 000021
は、単結合または二重結合であり、
ＲＩＮＧは、環式基であり、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７およびＲ１８の少なくとも１つは、Ｆである、項目１から３５のいずれか一項に記載の組成物。
（項目３７）
前記ポリマーが、式（ＸＶ）：
【化５５】
2016525595.tif 000022
の構造を有する繰り返しサブユニットを含み、式中、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１５、Ｒ１６およびＲ１８のそれぞれは、独立に、Ｈ、Ｆ、Ｃｌ、ＢｒまたはＩであり、
各
【化５６】
2016525595.tif 000023
は、独立に、単結合または二重結合であり、
Ｘ、ＹおよびＺのそれぞれは、独立に、Ｎ、ＮＷ、Ｓ、Ｏ、ＣＷ、またはＣＷＷであり、
Ｑ１およびＱ２のそれぞれは、独立に、Ｈ、Ｆ、Ｃｌ、Ｂｒ、Ｉ、ＯＨ、ＳＨ、アミノ基、ニトロ基、ニトロソ基、シアノ基、アジド基、アルキル基、ハロ−アルキル基、アルケニル基、ハロ−アルケニル基、アルキニル基、ハロ−アルキニル基、アルコキシ基、アリール基、アリールオキシ基、アラルキル基、アリールアルコキシ基、ヘテロシクリル基
、アシル基、アシルオキシ基、カーボネート基、カルバメート基、アミド基、ウレタン基、またはエステル基であり、
各Ｗは、独立に、Ｈ、Ｆ、Ｃｌ、Ｂｒ、Ｉ、ＯＨ、ＳＨ、アミノ基、ニトロ基、ニトロソ基、シアノ基、アジド基、スルホキシド基、スルホン基、スルホンアミド基、カルボキシル基、カルボキシアルデヒド基、イミン基、アルキル基、ハロ−アルキル基、アルケニル基、ハロ−アルケニル基、アルキニル基、ハロ−アルキニル基、アルコキシ基、アリール基、アリールオキシ基、アラルキル基、アリールアルコキシ基、ヘテロシクリル基、アシル基、アシルオキシ基、カーボネート基、カルバメート基、アミド基、ウレタン基、またはエステル基であり、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１５、Ｒ１６およびＲ１８の少なくとも１つは、Ｆである、
項目３６のいずれか一項に記載の組成物。
（項目３８）
Ｑ１およびＱ２のそれぞれが、独立に、アルキル基、アルケニル基、アルキニル基、アリール基、アラルキル基、またはヘテロシクリル基である、項目３７に記載の組成物。
（項目３９）
Ｑ１およびＱ２のそれぞれが、独立に、アルキル基である、項目３７に記載の組成物。
（項目４０）
前記繰り返しサブユニットが、式（ＸＶＩＩ）：
【化５７】
2016525595.tif 000024
の構造を有し、式中、
Ｒ１およびＲ２の少なくとも１つは、Ｆである、
項目３７から３９のいずれか一項に記載の組成物。
（項目４１）
Ｒ１およびＲ２のそれぞれが、Ｆである、項目３６から４０のいずれか一項に記載の組成物。
（項目４２）
前記ドットが、楕円体の形状を有する、項目１から４１のいずれか一項に記載の組成物。
（項目４３）
前記ドットが、棒の形状を有する、項目１から４１のいずれか一項に記載の組成物。
（項目４４）
類似の非フッ化半導体ポリマードットから得られた露光時の量子収率の少なくとも２倍である露光時の量子収率を有する、項目１から４３のいずれか一項に記載の組成物。
（項目４５）
類似の非フッ化半導体ポリマードットから得られた露光時の量子収率の少なくとも５倍である露光時の量子収率をもたらす、項目１から４４のいずれか一項に記載の組成物。
（項目４６）
類似の非フッ化半導体ポリマードットから得られた露光時の量子収率の少なくとも８倍である露光時の量子収率をもたらす、項目１から４４のいずれか一項に記載の組成物。
（項目４７）
前記ポリマードットの量子収率が、１０％超である、項目１から４６のいずれか一項
に記載の組成物。
（項目４８）
前記ポリマードットの吸収ピークが、波長３５０ｎｍ超にある、項目１から４７のいずれか一項に記載の組成物。
（項目４９）
前記ポリマードットの吸収ピークが、波長５１０ｎｍ未満にある、項目１から４８のいずれか一項に記載の組成物。
（項目５０）
前記ポリマードットのＰＬピークが、波長４１０ｎｍ超にある、項目１から４９のいずれか一項に記載の組成物。
（項目５１）
前記ポリマードットのＰＬピークが、波長５７０ｎｍ未満にある、項目１から５０のいずれか一項に記載の組成物。
（項目５２）
前記ポリマードットのサイズが、１０ｎｍ超である、項目１から５１のいずれか一項に記載の組成物。
（項目５３）
前記ポリマードットのサイズが、６０ｎｍ未満である、項目１から５２のいずれか一項に記載の組成物。
（項目５４）
前記ポリマードットが、長さ約２０ｎｍ〜約４０ｎｍで少なくとも１．６のケース比を有する、項目１から５３のいずれか一項に記載の組成物。
（項目５５）
前記ポリマードットが、長さ約２０ｎｍ〜約４０ｎｍで最大で３のケース比を有する項目１から５３のいずれか一項に記載の組成物。
（項目５６）
試料中の分析物を同定するための方法であって、
前記分析物をフッ化ポリマードットと接触させるステップと、
前記試料を放射線源で照射することによって、前記ポリマードットを検出するステップと
を含む、方法。
（項目５７）
前記接触させるステップによって、前記フッ化ポリマードットと前記分析物の複合体が得られる、項目５６に記載の方法。
（項目５８）
前記検出するステップが、蛍光の検出を含む、項目５６から５７のいずれか一項に記載の方法。
（項目５９）
前記ポリマードットが、追加部分に共役している、項目５６から５８のいずれか一項に記載の方法。
（項目６０）
前記ポリマードットが、ストレプトアビジンに共役している、項目５６から５９のいずれか一項に記載の方法。
（項目６１）
前記ポリマードットが、抗体に共役している、項目５６から５９のいずれか一項に記載の方法。
（項目６２）
前記放射線源が、フローサイトメーターである、項目５６から６１のいずれか一項に記載の方法。
（項目６３）
前記フローサイトメーターの前記放射線源が、６５０ｎｍ以下のバンドパスフィルタおよび５５０ｎｍ以下のロングパスフィルタである、項目６２に記載の方法。
（項目６４）
前記放射線源が、顕微鏡である、項目５６から６１のいずれか一項に記載の方法。
（項目６５）
前記顕微鏡の前記放射線源が、５５０ｎｍ以下の励起波長を有するレーザーである、項目６４に記載の方法。
（項目６６）
前記フッ化ポリマードットが、類似の非フッ化ポリマードットの少なくとも２倍明るい、項目５６から６５のいずれか一項に記載の方法。
（項目６７）
前記フッ化ポリマードットが、類似の非フッ化ポリマードットの少なくとも５倍明るい、項目５６から６６のいずれか一項に記載の方法。
（項目６８）
前記フッ化ポリマードットが、類似の非フッ化ポリマードットの少なくとも８倍明るい、項目５６から６７のいずれか一項に記載の方法。
（項目６９）
前記ポリマーが、式（Ｉ）：
【化５８】
2016525595.tif 000025
の構造を有する繰り返しサブユニットを含み、式中、
Ｒ１およびＲ２のそれぞれは、独立に、Ｈ、Ｆ、Ｃｌ、ＢｒまたはＩであり、
【化５９】
2016525595.tif 000026
は、単結合または二重結合であり、
ＲＩＮＧは、環式基であり、
Ｒ１およびＲ２の少なくとも１つは、Ｆである、
項目５６から６８のいずれか一項に記載の方法。
（項目７０）
前記ポリマーが、式（ＩＩＩ）：
【化６０】
2016525595.tif 000027
の構造を有する繰り返しサブユニットを含み、式中、
Ｒ１およびＲ２の少なくとも１つは、Ｆである、
項目５６から６９のいずれか一項に記載の方法。
（項目７１）
前記ポリマーが、式（Ｘ）：
【化６１】
2016525595.tif 000028
の構造を有する繰り返しサブユニットを含み、式中、
Ｒ１およびＲ２の少なくとも１つは、Ｆである、
項目５６から７０のいずれか一項に記載の方法。
（項目７２）
前記ポリマーが、式（ＸＩ）：
【化６２】
2016525595.tif 000029
の構造を有する繰り返しサブユニットを含み、式中、
Ｒ１１、Ｒ１３、Ｒ１６およびＲ１８のそれぞれは、独立に、Ｈ、Ｆ、Ｃｌ、ＢｒまたはＩであり、
Ｒ１２およびＲ１５のそれぞれは、独立に、Ｈ、Ｆ、Ｃｌ、ＢｒもしくはＩであり、またはＲ１２およびＲ１５は、それらが結合する原子と一緒になって、環を形成し、
Ｒ１４およびＲ１７のそれぞれは、独立に、Ｈ、Ｆ、Ｃｌ、ＢｒもしくはＩであり、またはＲ１４およびＲ１７は、それらが結合する原子と一緒になって、環を形成する、
項目５６から７１のいずれか一項に記載の方法。
（項目７３）
前記ポリマーが、式（ＸＩＩＩ）：
【化６３】
2016525595.tif 000030
の構造を有する繰り返しサブユニットを含む、項目５６から７２のいずれか一項に記載の方法。
（項目７４）
前記ポリマーが、式（ＸＶＩＩ）：
【化６４】
2016525595.tif 000031
の構造を有する繰り返しサブユニットを含み、式中、
Ｒ１およびＲ２の少なくとも１つは、Ｆである、
項目５６から７３のいずれか一項に記載の方法。
（項目７５）
フッ化ポリマードットを含む組成物であって、前記フッ化ポリマードットのフッ素含量が、前記フッ化ポリマードットの総質量の５０％未満である、組成物。
（項目７６）
フッ素が、前記ポリマードットの骨格に付着している、項目７５に記載の組成物。
（項目７７）
フッ素が、前記ポリマードットの二重結合に付着している、項目７５から７６のいずれか一項に記載の組成物。
（項目７８）
フッ素が、前記ポリマードットの骨格の芳香族環に付着している、項目７５から７７のいずれか一項に記載の組成物。
（項目７９）
フッ素が、一置換されている、項目７５から７８のいずれか一項に記載の組成物。
（項目８０）
フッ素が、二置換されている、項目７５から７８のいずれか一項に記載の組成物。
（項目８１）
前記フッ化ポリマードットが、両親媒性ポリマーとブレンドされている、項目７５から８０のいずれか一項に記載の組成物。
（項目８２）
フッ化ポリマードットを含む組成物であって、非フッ化ポリマードットの非特異的な吸着が、フッ化されている類似のポリマードットのポリマードットの非特異的な吸着よりも高い、組成物。
（項目８３）
前記非フッ化ポリマードットの非特異的な吸着が、フッ化されている類似のポリマードットのポリマードットの非特異的な吸着の５倍を超えて高い、項目８２に記載の組成物。
（項目８４）
フッ化ポリマードットを含む組成物であって、前記フッ化ポリマードットが、フッ化されていない類似のポリマードットの量子収率を超える量子収率を有する、組成物。
（項目８５）
前記非フッ化ポリマードットの量子収率が、フッ化されている類似のポリマードットの量子収率の５倍を超えて高い、項目８４に記載の組成物。
（項目８６）
フッ化ポリマードットを含む組成物であって、前記フッ化ポリマードットが、非球状の形状を有する、組成物。
（項目８７）
前記フッ化ポリマードットの前記非球状の形状が、楕円である、項目８６に記載の組成物。
（項目８８）
前記フッ化ポリマードットの前記非球状の形状が、棒である、項目８６に記載の組成物。
（項目８９）
前記フッ化ポリマードットの前記非球状の形状が、円柱である、項目８６に記載の組成物。
（項目９０）
前記フッ化ポリマードットの前記非球状の形状が、管である、項目８６に記載の組成物。
（項目９１）
前記ポリマーが、核酸、小分子、薬物、アプタマーおよびペプチドからなる群より選択
される分子に共役している、項目１から５８または７５から１のいずれか一項に記載の組成物。
（項目９２）
前記ポリマーが、赤血球凝集素、水疱性口炎ウイルス、グルタチオンＳ−トランスフェラーゼ、ヒスチジンおよびｃ−ｍｙｃからなる群より選択される分子に共役している、項目１から５８または７５から９２のいずれか一項に記載の組成物。
（項目９３）
前記サブユニットが、以下の構造またはそれらの誘導体：ベンゾオキサジアゾール、ベンゾセレナジアゾール、ベンゾテルラジアゾール、オキサジアゾロピリジン、チアジアゾロピリジン、セレナジアゾロピリジン、ナフトビスオキサジアゾール、ナフトビスチアジアゾール、チエノチフェン、キノキサリン、ピラジノキノキサリン、ベンゾチオフェン、イソベンゾフラン、ベンゾ［ｃ］セレノフェン、ピレン、ベンゾフェナントロリンまたはアントラジイソキノリンの１つを含有する、項目２または３のいずれか一項に記載の組成物。
（項目９４）
前記サブユニットが、少なくとも１つのフッ素原子を含む、項目９３に記載の組成物。